(57)【要約】【課題】  移動通信における無線基地局や無線端末装置の小型化を図りつつ、ユーザの多様な品質要求や通信形態に適応した通信制御を実現する。【解決手段】  移動通信網１に接続された無線基地局装置２は、第１情報サーバ４との間に仮想コネクション７を設定し、第２情報サーバ５との間に仮想コネクション８を設定する。また、無線基地局装置２は、無線端末装置３との間に仮想コネクション６を設定する。仮想コネクション７、８を用いて無線基地局装置２に伝送されたパケットを、無線基地局装置２は、１つの仮想コネクション６を用いて無線端末装置３へ伝送する。これにより無線区間での再送制御に必要なバッファ量等を削減し、無線基地局装置２や無線端末装置３の小型化を図る。【選択図】  図１
2004187327.tif 000002
【特許請求の範囲】
【請求項１】
有線通信ネットワークに接続された第１のインターフェースと、
無線端末と無線通信を行なう第２のインターフェースと、
前記第１のインターフェースを介し、前記有線通信ネットワークに接続された通信装置と自無線基地局間に、第１のコネクションを設定する第１のコネクション設定手段と、
前記第１のコネクションを使って、前記通信装置から前記無線端末宛のデータを受信する受信手段と、
前記第２のインターフェースを介し、前記無線端末と自無線基地局間に第２のコネクションを設定する第２のコネクション設定手段と、
前記受信手段で受信した前記データを、前記第２のコネクションを使って、前記無線端末へ転送する転送手段と、
前記第１のコネクションが複数の前記無線端末宛の同報通信のためのコネクションであるか、特定の前記無線端末宛の個別通信のためのコネクションであるかを検出するコネクション検出手段と、
前記コネクション検出手段により、検出された前記第１のコネクションが同報通信のためのコネクションであった場合、特定の前記第２のコネクションを設定し、検出された前記第１のコネクションが個別通信であり、かつ複数あった場合には、該個別通信のための前記第１のコネクションを、前記特定の第２のコネクションとは別の他の前記第２のコネクションとして設定するよう制御する制御手段とを具備したことを特徴とする無線基地局。
【請求項２】
１つのチャネルを分割して形成された複数の伝送スロットを用いてデータパケットを無線基地局から無線端末へ伝送し、前記無線基地局が前記無線端末の受信すべき伝送スロットを指定することにより、前記無線基地局の１つのチャネルに複数の前記無線端末を収容することが可能な無線通信制御方式において、
前記無線端末は、
無線通信を制御するための制御用同報伝送スロットと、複数の無線端末装置へ同一のデータパケットを送信するための同報通信用の伝送スロットと、該無線端末装置別にデータパケットを送信する為の個別通信用の伝送スロットとを同時に受信することにより、同報通信用のデータパケットの受信と、個別通信用のデータパケットの受信を同時に行ない、
該無線通信基地局は、
前記同報通信で送信するデータパケット及び前記個別通信で送信するデータパケットはそれぞれ、同一の無線端末に送信するものであるときは異なるデータリンクとして制御することを特徴とする無線通信制御方式。
【請求項３】
前記無線基地局は、前記同報通信のデータパケットである場合には、予め定められた同報通信用の前記伝送スロットにおいて該データパケットを伝送し、前記個別通信のデータパケットである場合には、無線端末装置毎にその都度割り当てられる伝送スロットで該データパケットを伝送することを特徴とする請求項２に記載の無線通信制御方式。
【請求項４】
前記無線基地局は、前記同報通信のデータパケットである場合には、該データパケットを受信する該無線端末のそれぞれに対して、そのデータパケットを割り当てた前記伝送スロットを、受信すべきスロットとして指定することを特徴とする請求項２に記載の無線通信制御方式。
【発明の詳細な説明】
【技術分野】
【０００１】
本発明は、無線基地局、及び、無線通信制御方式移動通信に関し、特に、無線基地局や無線端末装置の小型化等を図った無線基地局、及び、無線通信制御方式に関する。
【背景技術】
【０００２】
従来の移動通信システムは主として音声通話を前提として構成したものであり、データ通信に対応したものは少なかった。特にデータ通信では音声通話と異なり、データの流れる量が時間に伴い可変であること、１対１通信だけでなく１対多通信も行なわれるという点で大きく異なる。
【０００３】
一方、データ通信用の無線通信としては、無線ＬＡＮ装置が挙げられるが、この無線ＬＡＮ装置では屋内で静止して使うことを前提としており、屋外での利用や公衆回線を用いた利用は事実上できなかった。
【０００４】
一部の公衆用移動通信システムではデータ通信への要求に対応して、このような特性を持つデータ通信への対応を行なったシステムもあるが、音声通話との互換性を重視しているため、伝送速度等の点で十分なデータ通信への対応ができていなかった。
【０００５】
例えば、データ通信用に現在の公衆システムでは最も対応しているとみられるパーソナル・ハンディホン・システム（以下、ＰＨＳと略記）では、伝送速度は３２ｋｂｐｓ〜６４ｋｂｐｓと無線ＬＡＮ装置と比較すると３桁程伝送速度が低かった。さらに、1対１通信で行なうために、パケットを出していない時にも周波数帯域を占有するとともに課金がされるという欠点があった。
【０００６】
また、データ通信のサービスでは、通常の１対１通信と同時に、広告を送ることにより通信料金の一部を広告主が支払うといったサービスが可能であり、個人ユーザの拡大を望むことができる。しかし、従来の移動通信システムでは端末１台につき１回線を１対１に接続するため、このようなサービスを実現することができなかった。
【０００７】
その例を図１７乃至図１９を用いて説明する。図１７において、情報源３００Ａ、３００Ｂと端末装置３１０Ａ、３１０Ｂとは通信網３２０を介して通信を行ない、情報を伝送する。この通信網３２０の中にはノード装置３３０Ａ、３３０Ｂが置かれ、これらノード装置３３０Ａ、３３０Ｂを介して通信は行なわれる。ここで、例えば、情報源３００Ａと端末装置３１０Ａとが通信し、情報源３００Ｂと端末装置３１０Ｂとが通信する場合には、通信網３２０内でそれぞれの通信を識別する必要がある。図１８はそのためのパケット３４０のパケット構成の一例を示したものである。図１８において、パケット３４０は、ヘッダ３４１とペイロード３４２とを備えている。ヘッダ３４１には、通常、宛先である端末装置３１０Ａ、３１０Ｂを識別するための番号が付けられる。ペイロード３４２には、データ通信の内容等が格納される。
【０００８】
端末装置３１０Ａ、３１０Ｂと情報源３００Ａ、３００Ｂの間はエンド−エンドの１対１通信であり、端末装置３１０Ａ、３１０Ｂと情報源３００Ａ、３００Ｂの間に接続が確立されている場合には、この接続を仮想コネクションと呼ぶ。図１９は、図１７を仮想コネクションの概念を用いて示した図である。通信元である情報源３００Ａはノード装置３３０Ａ、３３０Ｂを介して通信先である端末装置３１０Ａと仮想コネクション３５０Ａを張り、通信を行う。また、通信元である情報源３００Ｂはノード装置３３０Ａ、３３０Ｂを介して通信先である端末装置３１０Ｂと仮想コネクション３５０Ｂを張り、通信を行う。このように仮想コネクション３５０Ａ、３５０Ｂが確立している場合には、図１８に示したパケット３４０のヘッダ３４１の情報は、宛先である端末装置３１０Ａ、３１０Ｂを識別する番号ではなく、コネクション３５０Ａ、３５０Ｂを識別する番号でもよい。
【発明の開示】
【発明が解決しようとする課題】
【０００９】
上述したところから分かるように、従来の移動通信システムでは、音声通話を基本とした回線接続方式によりデータ通信も行なうため、１台の端末装置で複数の接続単位（通常、仮想コネクションと呼ばれる）を用いて複数の端末装置に接続したり、端末装置のアプリケーションで利用するデータを複数の端末装置に同報して通信したりすることができなかった。このため、端末装置における１つの画面で複数の情報を扱うようなマルチメディアのデータ通信を実現することは困難であった。
【００１０】
本発明は上記課題を解決するためになされたものであり、１つの情報源から複数の端末装置に対してデータ通信を行う場合における仮想コネクションの処理を効率的にすることを目的とする。また、これにより、無線基地局及び無線端末装置の小型化及び軽量化等を図ることを目的とする。
【課題を解決するための手段】
【００１１】
上記課題を解決するため本発明に係る無線基地局は、
有線通信ネットワークに接続された第１のインターフェースと、
無線端末と無線通信を行なう第２のインターフェースと、
前記第１のインターフェースを介し、前記有線通信ネットワークに接続された通信装置と自無線基地局間に、第１のコネクションを設定する第１のコネクション設定手段と、
前記第１のコネクションを使って、前記通信装置から前記無線端末宛のデータを受信する受信手段と、
前記第２のインターフェースを介し、前記無線端末と自無線基地局間に第２のコネクションを設定する第２のコネクション設定手段と、
前記受信手段で受信した前記データを、前記第２のコネクションを使って、前記無線端末へ転送する転送手段と、
前記第１のコネクションが複数の前記無線端末宛の同報通信のためのコネクションであるか、特定の前記無線端末宛の個別通信のためのコネクションであるかを検出するコネクション検出手段と、
前記コネクション検出手段により、検出された前記第１のコネクションが同報通信のためのコネクションであった場合、特定の前記第２のコネクションを設定し、検出された前記第１のコネクションが個別通信であり、かつ複数あった場合には、該個別通信のための前記第１のコネクションを、前記特定の第２のコネクションとは別の他の前記第２のコネクションとして設定するよう制御する制御手段とを具備したことを特徴とする。
【００１２】
本発明に係る無線通信制御方式は、
１つのチャネルを分割して形成された複数の伝送スロットを用いてデータパケットを無線基地局から無線端末へ伝送し、前記無線基地局が前記無線端末の受信すべき伝送スロットを指定することにより、前記無線基地局の１つのチャネルに複数の前記無線端末を収容することが可能な無線通信制御方式において、
前記無線端末は、
無線通信を制御するための制御用同報伝送スロットと、複数の無線端末装置へ同一のデータパケットを送信するための同報通信用の伝送スロットと、該無線端末装置別にデータパケットを送信する為の個別通信用の伝送スロットとを同時に受信することにより、同報通信用のデータパケットの受信と、個別通信用のデータパケットの受信を同時に行ない、
該無線通信基地局は、
前記同報通信で送信するデータパケット及び前記個別通信で送信するデータパケットはそれぞれ、同一の無線端末に送信するものであるときは異なるデータリンクとして制御することを特徴とする。
【００１３】
この場合、前記無線基地局は、前記同報通信のデータパケットである場合には、予め定められた同報通信用の前記伝送スロットにおいて該データパケットを伝送し、前記個別通信のデータパケットである場合には、無線端末装置毎にその都度割り当てられる伝送スロットで該データパケットを伝送するようにしてもよい。
【００１４】
或いは、前記無線基地局は、前記同報通信のデータパケットである場合には、該データパケットを受信する該無線端末のそれぞれに対して、そのデータパケットを割り当てた前記伝送スロットを、受信すべきスロットとして指定するようにしてもよい。
【発明の効果】
【００１５】
本発明によれば、有線伝送路における同一の無線端末装置に関するコネクションが複数ある場合においても、無線伝送路においては１つのコネクションとしてデータリンクの制御を行うようにしたので、無線区間での再送制御等にかかるバッファ量が減少し、また、コネクション制御のための計算量が減少することから、無線基地局や無線端末装置の消費電力化やコストの軽減を図ることができるとともに、無線基地局や無線端末装置の小型化等を実現することができる。
【００１６】
また、無線区間におけるデータリンクの制御をコネクション毎に独立して行なうようにしたので、１つの無線端末装置のアプリケーション上に複数の品質の異なる情報を同時に表示させるような場合でも、それぞれの情報毎に要求する品質を満たすようにデータリンクの制御を行なうことができ、ユーザの様々な要求に応じた多様な情報を提供することができる。
【発明を実施するための最良の形態】
【００１７】
以下、本発明の各実施形態を図に基づいて説明する。なお、以下の図において同一部分または同一対応部分は同符号で示すものとする。
【００１８】
〔第１実施形態〕
図１は、本発明の第１実施形態に係る移動通信システムの概略構成を示す説明図である。この図１に示す例では、移動通信システムは、移動通信網１と無線基地局装置２と無線端末装置３と第１情報サーバ４と第２情報サーバ５とを備えて構成されている。無線基地局装置２と無線端末装置３との間には仮想コネクション６が設定される。つまり、仮想コネクション６は無線区間の仮想コネクションである。第１情報サーバ４と無線基地局装置２との間には仮想コネクション７が設定され、第２情報サーバ５と無線基地局装置２との間には仮想コネクション８が設定される。つまり、仮想コネクション７と仮想コネクション８はそれぞれコネクション番号の異なる仮想コネクションである。
【００１９】
次に、図２に基づいて本実施形態に係る移動通信システムの別の概略構成を説明する。この図２に示す移動通信システムは、上述した図１の移動通信システムの移動通信網１を第１の移動通信網とし、この第１の移動通信網１に第２の移動通信網１０を接続したものである。このため、図２に示す移動通信システムは、上述した図１の移動通信システムに加えて、第２の移動通信網１０と、この第２の移動通信網１０の無線基地局装置１１と、複合型網間接続装置１２と、無線端末装置１４とを備えて構成されている。
【００２０】
無線端末装置１４は、第１の移動通信網１及び第２の移動通信網１０の両方に接続することの可能な無線端末装置である。この無線端末装置１４と無線基地局装置１１との間には仮想コネクション１３が設定される。つまり、無線区間には、上述した仮想コネクション６に加えて、仮想コネクション１３が設定される。複合型網間接続装置１２は、第１の移動通信網１と第２の移動通信網１０とを接続して相互に協調した運用を図ることを目的とする装置である。
【００２１】
本実施形態においては、第１の移動通信網１のデータ伝送速度より、第２の移動通信網１０のデータ伝送速度は遅いように構成されている。これ以外の部分は、上述した図１の移動通信システムと同様の構成である。
【００２２】
次に、無線基地局装置２と無線端末装置３の内部構成について説明する。図３は、図１で示した無線基地局装置２と無線端末装置３の内部構成を概略的に示す図である。この図３において、無線基地局装置２は、有線インターフェース部２１と、有線パケット解析部２２と、バッファ２３Ａ、２３Ｂと、無線パケット構成部２４と、無線インターフェース部２５と、無線パケット解析部２６と、有線パケット構成部２７と、データ転送制御部２８と、データリンク制御部２９とを備えて構成されている。これら各部の間は、制御信号３０がやりとりされる。また、無線インターフェース部２５には無線アンテナ３３が接続されている。
【００２３】
無線端末装置３は、無線インターフェース部２５と、無線パケット解析部２６と、バッファ２３Ａ、２３Ｂと、ユーザインターフェース部３１と、アプリケーションハードウェア３２と、無線パケット構成部２４と、データ転送制御部２８と、データリンク制御部２９とを備えて構成されている。これら各部の間は、制御信号３０がやりとりされる。また、無線インターフェース部２５には無線アンテナ３３が接続されている。
【００２４】
図４は、図２で示した無線基地局装置２と無線端末装置１４の内部構成を概略的に示す図である。この図４に示す無線基地局装置２は、上述した図２に示す無線基地局装置２と同様に構成されている。図４に示す無線端末装置１４は、２つの無線インターフェース部４１Ａ、４１Ｂと２つの無線アンテナ３３Ａ、３３Ｂを有する点で、上述した図３に示す無線端末装置３と異なる。
【００２５】
すなわち、無線端末装置１４における無線アンテナ３３Ａと無線インターフェース部４１Ａは、第１の移動通信網１からのデータを受信する。つまり、仮想コネクション６を用いてデータ受信を行う。無線アンテナ３３Ｂと無線インターフェース部４１Ｂは、第２の移動通信網１０へデータを送信する。つまり、仮想コネクション１３を用いてデータ送信を行う。
【００２６】
図５は、本実施形態に係るパケット構成の一例を示す説明図である。図５において、パケット５０は、仮想パス識別子５１と、仮想チャネル識別子５２と、ペイロード５３と呼ばれる情報内容を含んでいる。
【００２７】
次に、図１乃至図５に基づいて、本実施形態に係る移動通信システムの動作を詳細に説明する。
【００２８】
図１において、無線端末装置３は第１情報サーバ４と第２情報サーバ５の両方からデータを受信するサービスが提供されているとする。これら第１情報サーバ４と第２情報サーバ５の情報は、有線伝送路においては仮想コネクション７及び仮想コネクション８を介して無線基地局装置２まで送信される。そして、無線基地局装置２において１つのパスとしてまとめられ、無線伝送路においては仮想コネクション６を介して、無線端末装置３に送信される。すなわち、仮想コネクション６においては、同一の無線端末装置３宛の仮想コネクション７及び８のデータは、同一の仮想コネクション６にまとめられ、無線区間のデータリンクとして伝送される。
【００２９】
なお、図６に示すように、仮想コネクション７及び８は無線基地局装置２において終端されるのではなく、それぞれ別の仮想コネクション７及び８として無線端末装置３まで伝送されるが、無線区間では仮想コネクション７及び８を同一の仮想コネクション９として伝送しているかのようにデータリンクの制御を行なうことも可能である。さらにこの場合、無線区間における仮想コネクション番号は、有線区間における番号をそのまま使うのではなく、より短縮した番号に無線基地局装置３でマッピングすることにより、無線区間でのオーバーヘッドをより少なくすることも可能である。
【００３０】
図３に示すように、仮想コネクション７及び８のパケットは有線インターフェース部２１において受信される。有線パケット解析部２２では、仮想パス識別子５１または仮想チャネル識別子５２（図５参照）に示される宛先識別情報によって、そのパケットが仮想コネクション７のパケットであるか、又は、仮想コネクション８のパケットであるかを判断する。さらに、このパケットの宛先識別情報は制御信号３０によりデータ転送制御部２８に送信され、このデータ転送制御部２８からデータリンク制御部２９にパケットの番号が通知される。
【００３１】
ところで、仮想コネクション７及び８は同一の無線端末装置３に送信されるパケットであるが、その宛先に関する情報は仮想コネクション７及び８を設定する時にデータ転送制御部２８において記憶されている。この宛先に関する情報の記憶は、仮想コネクションの設定の都度記憶されるものでもよいし、あるいは恒常的にデータ転送制御部２８に記憶されるものでもよい。
【００３２】
このようにデータ転送制御部２８はパケットの仮想コネクション７及び８が同一の無線端末装置３宛てであることを記憶しているので、両者を同一の種別のコネクションとしてデータリンク制御部２９に通知する。データリンク制御部２９では、有線区間で仮想コネクション番号の異なるコネクションであっても、無線区間では同一のコネクションとして制御を行なう。
【００３３】
図７に、無線基地局装置２での動作の一例を示す。パケット６１Ａは仮想コネクション７において伝送されるパケットであり、パケット６１Ｂは仮想コネクション８において伝送されるパケットである。パケット６１Ａ、６１Ｂは、仮想パス識別子５１または仮想チャネル識別子５２を含むパケットヘッダ６２を有している。
【００３４】
無線基地局装置２では、これらパケット６１Ａとパケット６１Ｂとに基づいて、パケット６１Ｃを生成する。このパケット６１Ｃは、パケットの誤りを検出するための誤り検出符号６３と、パケットのシーケンス番号６４と、仮想パス識別子５１または仮想チャネル識別子５２を含むパケットヘッダ６５とを有している。
【００３５】
図３に示したデータリンク制御部２９では、パケット６１Ａ及びパケット６１Ｂを合わせて、新たな誤り検出符号６３とシーケンス番号６４を計算する。そして、無線パケット構成部２４において無線部のパケット６１Ｃを構成する。
【００３６】
パケット６１Ａ及びパケット６１Ｂは本来別々の仮想コネクション７、８で伝送されているが、無線伝送路においては同一の無線端末装置３に対して伝送されるため、１つの仮想コネクション６としてシーケンス番号６４によりデータリンク制御部２９で管理する。
【００３７】
以上のように、移動通信網１では複数の仮想コネクション７、８であっても、パケットの宛先が同一の無線端末装置３である場合においては、無線区間では同一の仮想コネクション６としてデータリンク制御部２９で管理することにより、無線基地局装置２及び無線端末装置３の回路構成を簡略化し効率のよい移動通信システムの実現を可能とする。
【００３８】
なお、上記説明では、移動通信網１での仮想コネクションが２個であり、無線区間での仮想コネクションが１個の場合を説明したが、これに限るものではなく、移動通信網１での仮想コネクションをＮ個とし、無線区間での仮想コネクションをＭ個とした場合、Ｍ＜Ｎの関係があれば足りる。但し、Ｍ、Ｎは自然数である。
【００３９】
また、図２及び図４において説明した複数の移動通信網１、１０を備えた移動通信システムにおいても、同様の動作と効果を有する。
【００４０】
〔第２実施形態〕
次に、図８及び図９に基づいて、本発明の第２実施形態を説明する。図８は本実施形態に係る無線基地局装置２と無線端末装置３の内部構成を示す図であり、図９は品質要求の異なる仮想コネクションを１つの仮想コネクションにまとめる場合のまとめ方を説明する図である。
【００４１】
図８に示すように、無線基地局装置２と無線端末装置３とはそれぞれ品質管理部７１を備えている。本実施形態に係る無線基地局装置２と無線端末装置３は、この品質管理部７１を備えている他は、上述した図３に示す無線基地局装置２と無線端末装置３と同様の構成である。
【００４２】
この図８において、品質管理部７１はデータリンク管理部２９からパケットの品質要求値を受け取り、パケットの属する仮想コネクションの品質要求値を管理して必要な制御を行なう。この際、同一の宛先である無線端末装置３に対する複数の仮想コネクションが存在する場合に、図９（ａ）に示すように品質要求値がそれぞれの仮想コネクションで異なる場合には、図９（ｂ）に示すようにそのうち最適な１つを選択して他のコネクションの品質要求値も同じものとする。つまり、複数の異なる品質要求値を１つの品質要求値に統一する。
【００４３】
図９の例では、３つのコネクション番号１、２、３の品質要求値の中から、１つの品質要求値に統一する。すなわち、遅延時間についてはコネクション番号１の要求値であるａ（ｕｓ）を選択し、誤り率についてはコネクション番号３の要求値であるＣを選択する。これらの選択の基準としては、一番品質の高いものを選択するやり方や、一番品質の低いものを選択するやり方等が考えられる。
【００４４】
このように、有線伝送路である移動通信網１においては複数あるコネクションの品質要求値を、無線伝送路では１つのコネクションにおける１つの品質管理値で制御することにより、無線基地局装置２及び無線端末装置３の構成を簡略化し効率の良い移動通信システムを実現することができる。
【００４５】
〔第３実施形態〕
次に、本発明の第３実施形態を図１０を用いて説明する。この図１０において、パケット９１Ａとパケット９１Ｂは再送制御を必要とするパケットであり、パケット９２Ａとパケット９２Ｂは再送制御を必要としないパケットである。これらパケット９１Ａ、９１Ｂ、９２Ａ、９２Ｂには、それぞれ、別個のコネクション番号がヘッダ部９３Ａ、９３Ｂ、９４Ａ、９４Ｂにおいて付けられている。つまり、有線伝送路である移動通信網１においては４つの仮想コネクションが設定されている。
【００４６】
無線基地局装置２では、パケット９１Ａ、９１Ｂに基づいてパケット９１Ｃを生成し、パケット９２Ａ、９２Ｂに基づいてパケット９２Ｃを生成する。パケット９１Ｃには、誤り検出ビット９５とシーケンス番号９６と、ヘッダ部９７Ａとが含まれている。一方、パケット９２Ｃには、ヘッダ部９８Ａが含まれているが、誤り検出ビット９５もシーケンス番号９６も含まれていない。
【００４７】
図３で示したデータリンク管理部２９は、各パケットのヘッダ部９３Ａ、９３Ｂ、９４Ａ、９４Ｂを見て、それぞれが再送制御を必要とするコネクションであるかどうかを判断する。この判断によりデータリンク管理部２９は、再送制御が必要であって同一の無線端末装置へ送信するパケット９１Ａ、９１Ｂである場合には、誤り検出ビット９５とシーケンス番号９６を付与して、パケット９１Ｃを生成する。このパケット９１Ｃは、無線伝送路では同一のデータリンクとしてシーケンス番号が順に付けられた上で同一の仮想コネクション９７を用いて伝送される。これに対して、再送制御を必要としないパケット９２Ａ、９２Ｂは、シーケンス番号を付けずにパケット９２Ｃを生成し、同一の仮想コネクション９８を用いて伝送される。このとき、誤り検出ビット９５は図１０に示すように付けなくてもよいし、付けてもよい。
【００４８】
以上に示すように、本実施形態に係る移動通信システムにおいては、再送制御を必要とする仮想コネクションと再送制御を必要としない仮想コネクションとをそれぞれ別々にまとめて無線伝送路で伝送することした。ここでは、再送制御を必要とするパケット９１Ａ、９１Ｂは、パケット９１Ｃにまとめた上で仮想コネクション９７で伝送し、再送制御を必要としないパケット９２Ａ、９２Ｂは、パケット９２Ｃにまとめた上で仮想コネクション９８で伝送する例を示したが、これらパケット９１ｃ及びパケット９２ｃにまとめずに、各パケットにシーケンス番号と誤り訂正符号を付与する方法を用いても良い。したがって、要求品質を満たした上で、無線基地局装置２及び無線端末装置３の構成を簡略化し効率の良い移動通信システムを実現することができる。
【００４９】
〔第４実施形態〕
次に、本発明の第４実施形態を図２及び図４により説明する。図２において、無線端末装置１４は、データの送信には、無線伝送路である仮想コネクション１３を用いて第２の移動通信網１０の無線基地局装置１１に接続する。この移動通信網１０から、複合型網間接続装置１２と第１の移動通信網１を介して第１情報サーバ４または第２情報サーバ５または無線基地局装置２と接続する。無線端末装置１４は、データの受信には、第１の移動通信網１の無線基地局装置２と無線伝送路である仮想コネクション６を介して通信を行なう。なお、無線端末装置１４におけるデータの受信を、無線伝送路である仮想コネクション１３を介して行なうようにしてもよい。
【００５０】
無線端末装置１４は、第１情報サーバ４及び第２情報サーバ５から情報を同時に受信するために通信を行なう場合、無線端末装置１４からのデータ送信には、伝送速度の遅い第２の移動通信網１０を利用するため、なるべく送信データ量を少なくして効率化を図りたい。例えば、第１情報サーバ４からのデータと第２情報サーバ５からのデータを別々にデータリンク制御を行なうと、無線伝送路における仮想コネクションの設定が２つ必要となる。このように仮想コネクションを２つ設定すると、再送制御のためのバッファが無線基地局装置２及び無線端末装置１４にそれぞれ２つ必要となり、制御量が増大するため好ましくない。
【００５１】
また、この場合の無線端末装置１４から無線基地局装置２への伝送は、第２の移動通信網１０及び網間接続装置１２を介して行われるため伝送遅延時間が大きくなるという弊害がある。このため、特に複数の仮想コネクションを同一の無線端末装置１４に対して行なう際には、同一の仮想コネクションとして制御することにより、無線基地局装置２から無線端末装置１４への下りのデータ送信が早くなるとともに、無線基地局装置１４から無線基地局装置２への上りの制御メッセージ量を減少させることが可能なため、効率の良い移動通信システムを実現することができる。
【００５２】
〔第５実施形態〕
次に、本発明の第５実施形態を図１１により説明する。この図１１において、無線基地局装置２と無線端末装置３には、仮想画面１０１が形成され、この仮想画面１０１には、第１情報サーバ４より伝送される情報１０２と、第２情報サーバ５により伝送される情報１０３とが含まれる。
【００５３】
図１１において、無線端末装置３は無線基地局装置２に仮想コネクション６を介して接続される。この無線端末装置３は、移動通信網１を介して第１情報サーバ４と第２情報サーバ５の情報を受信するものとする。一例として、第１情報サーバ４の情報は広告情報であり、第２情報サーバ５の情報はユーザの要求した個別情報であるとする。
【００５４】
第１情報サーバ４及び第２情報サーバ５からの情報は一旦無線基地局装置２で集められ、図１１右上側に示すように閲覧用ソフトウェアの機能等により一旦仮想画面１０１が構成される。この仮想画面１０１の構成には、第１情報サーバ４からの情報１０２と第２情報サーバ５からの情報１０３とが含まれている。この仮想画面１０１は仮想的に構成されるものであり、無線基地局装置２において表示される必要はない。仮想画面１０１はさらに無線伝送路である仮想コネクション６において伝送され、無線端末装置３において受信されるが、無線端末装置３は表示装置１０４により、仮想画面１０１を表示する。
【００５５】
本実施形態によれば、仮想画面１０１全体を無線区間では１つの仮想コネクション６として伝送するため、多数の情報サーバと同時に接続するＷＷＷブラウザを利用した情報閲覧の際には、無線区間での制御情報の量が少なくなり、伝送効率の良い移動通信システムを実現することができる。
【００５６】
すなわち、無線端末装置３で表示される画面が一旦無線基地局装置２で構成されるため、無線区間でのコネクション制御のための計算量が減少し、無線基地局２や無線端末装置３の消費電力の低減及びコストの低減を図ることができ、また、無線基地局装置２や無線端末装置３の小型化も図ることができる。しかも、無線端末装置３のソフトウェアに計算量の多いブラウザを使わずに済むため、計算速度の低い旧型あるいは低価格の無線端末装置３であっても、高度なアプリケーションを利用することが可能になる。
【００５７】
〔第６実施形態〕
次に、本発明の第６実施形態に係る移動通信システムの動作例を図１２及び図１３によって説明する。図１２において、無線伝送路には、第１情報サーバ４と無線基地局装置２間の仮想コネクション７に対応する仮想コネクション１１１と、第２情報サーバ５と無線基地局装置２間の仮想コネクション８に対応する仮想コネクション１１２とが形成されている。
【００５８】
また、図１３において１２１Ａは仮想チャネル７において伝送されるパケット、１２１Ｂは仮想チャネル８において伝送されるパケットである。パケット１２１Ａはコネクションの識別子５２を含むヘッダ１２２Ａを有しており、パケット１２１Ｂはコネクションの識別子５２を含むヘッダ１２２Ｂを有している。また、１２３Ａは無線伝送路における仮想コネクション１１１上のパケット、１２３Ｂは無線伝送路における仮想コネクション１１２上のパケットである。パケット１２３Ａは、パケット１２３Ａの伝送誤りを検出するための誤り検出符号１２４Ａと、パケットのシーケンス番号１２５Ａと、ヘッダ１２６Ａとを含んでいる。パケット１２３Ｂは、パケット１２３Ｂの伝送誤りを検出するための誤り検出符号１２４Ｂと、パケットのシーケンス番号１２５Ｂと、ヘッダ１２６Ｂとを含んでいる。
【００５９】
パケット１２３Ａ及びパケット１２３Ｂは同一の宛先である無線端末装置３宛てのパケットであるが、それぞれのコネクションの識別子５２に相当する部分が異なるため、無線伝送路においても別々のデータリンクとして管理する。ただし、それぞれのデータリンクは図１２の仮想コネクション７と仮想コネクション１１１とでは別々に管理することにより、誤り率の高い無線伝送路のデータリンクの影響を、有線伝送路に波及させないように処理する。
【００６０】
以上のように、受信する無線端末装置が同一の場合においても有線伝送路で異なるコネクション番号のデータリンクに付いては無線伝送路においても異なるデータリンクで管理することにより、同一の無線端末装置３が複数の種別のサービスを同時に行なう場合においても、それぞれの品質要求に適応したサービスを実現することができる。
【００６１】
また、本実施形態は図２及び図４において説明される複数の移動通信網を介して提供される場合においても同一の動作と効果を有する。
【００６２】
〔第７実施形態〕
次に、本発明の第７実施形態に係る移動通信システムの動作例を図１４によって説明する。図１４において、移動通信システムは、同報情報の第３情報サーバ１３１をさらに備えている。第３情報サーバ１３１と無線基地局装置２の間は仮想コネクション１３２が設定されており、第１情報サーバ４と無線基地局装置２との間は仮想コネクション１３３が設定されており、第２情報サーバ５と無線基地局装置２との間は仮想コネクション１３４が設定されている。無線基地局装置２と無線端末装置３Ａ、３Ｂへの間には同報通信用のチャネルである仮想コネクション１３５が設定されており、無線基地局装置２と端末装置３Ａの間には個別通信用のチャネルである仮想コネクション１３６が設定されており、無線基地局装置２と端末装置３Ｂの間には個別通信用のチャネルである仮想コネクション１３７が設定されている。
【００６３】
無線基地局装置２において、同報通信用の仮想コネクション１３５については特定の情報識別番号があらかじめ無線基地局装置２及び無線端末装置３Ａ、３Ｂにおいて割り当てられており、このチャネルの情報は同報通信先に該当する端末は全て受信することが可能である。また、個別通信用の仮想コネクション１３６、１３７については、それぞれ無線端末装置３Ａ、３Ｂに対して割り当てられるものであり、該当しない無線端末装置がこのコネクションを利用することはない。
【００６４】
図１４において、第３情報サーバ１３１からは、同報通信用の情報がパケット形式で仮想コネクション１３２を介して無線基地局装置２に伝送され、また第１情報サーバ４及び第２情報サーバ５からは、個別通信用の情報がパケット形式で仮想コネクション１３３及び１３４を介して無線基地局装置２に伝送される。無線基地局装置２では仮想コネクション１３２は同報通信用のコネクションであることを認識し、同報通信用の仮想コネクション１３５を用いて無線端末装置３Ａ、３Ｂに伝送される。また、個別通信用の仮想コネクション１３３及び１３４から無線基地局装置２に対して伝送された情報は、仮想コネクション１３６及び１３７をそれぞれ用いて、宛先の無線端末装置３Ａ、３Ｂにそれぞれ伝送される。仮想コネクション１３５のデータリンクと仮想コネクション１３６のデータリンクは同一の無線端末装置３Ａに送られるものであるが、再送制御などについては、仮想コネクション番号単位で行なうことにより、同報通信におけるアクノーレッジパケットが重複して伝送されることによる混乱や、コネクション毎のサービス要求の違いに対応することが可能となる。
【００６５】
なお、本動作例におけるコネクション番号については、図５に示すような仮想チャネル識別子５２を用いることができる。
【００６６】
また、本実施形態は図２及び図４において説明される複数の移動通信網を介して提供される場合においても同一の動作と効果を有する。
【００６７】
〔第８実施形態〕
次に、本発明の第８実施形態に係る移動通信システムの動作例を図３、図１３及び図１５によって説明する。図１５は無線基地局装置から無線端末装置への下りチャネルにおける無線伝送路の状態を時間軸上に示したものである。下りチャネルは、物理ヘッダ１４０と、各コネクション毎の伝送パケットの受信を開始する位置に関する情報を示す受信開始位置指定部１４１とを備えている。
【００６８】
さらに、下りチャネルは、同報通信用の伝送スロット１４２と、他の無線端末装置宛ての伝送スロット１４３と、同一の無線端末宛であるがコネクション識別番号の異なる伝送パケットの伝送される伝送スロット１４４、１４５とを備えている。つまり、伝送スロット１４３〜１４５が個別通信用の伝送スロットである。
【００６９】
無線端末装置は物理ヘッダ１４０に続く受信開始位置指定部１４１の内容を受信し、その指定に自分の無線端末装置の受信タイミング１４４が指定されているものとする。つまり、受信開始位置指定部１４１の指定により無線端末装置３が受信すべき伝送スロットが特定される。
【００７０】
無線基地局装置２において、図１３に示されるようにコネクション番号の異なる伝送パケットが１２１Ａ、１２１Ｂが有線伝送路より到着し、無線伝送路に伝送する際には、図３のデータリンク制御部２９は、図１３のパケット１２３Ａ及び１２３Ｂに示すように、別個の誤り検出符号１２４Ａ、１２４Ｂと、シーケンス番号１２５Ａ、１２５Ｂと、ヘッダ１２６Ａ、１２６Ｂを付与する。但し、誤り検出符号及びシーケンス番号は、一方を付けなくてもよいし、両方とも付けなくてもよい。図３のデータリンク制御部２９はパケット１２３Ａ、１２３Ｂのシーケンス番号１２５Ａ、１２５Ｂの示すの番号に基づきパケットの再送等の制御を行ない、正常な無線通信を提供する。
【００７１】
ここで、伝送パケット１２１Ａのヘッダ部１２２Ａにおいて、同報通信を示すヘッダが付与されており、１２１Ｂのヘッダ部１２２Ｂにおいては、個別通信を示すヘッダが付与されている場合には、伝送パケット１２１Ａは図１５の同報通信用の伝送スロット１４２において伝送され、伝送パケット１２１Ｂは同図の個別通信用の伝送スロット１４４において伝送される。
【００７２】
無線端末装置は、あらかじめ同報用に指定されている受信スロット１４２と前記受信開始位置指定部１４１において指定された受信スロット１４４とを受信することにより、図１３における同報通信用のパケット１２１Ａと個別通信用のパケット１２１Ｂとを受信する。
【００７３】
以上により、同報通信と個別通信を同一の無線端末装置において同時に実現することが可能となる。
【００７４】
〔第９実施形態〕
次に、本発明の第９実施形態に係る移動通信システムに関する動作例を図１４及び図１５によって説明する。
【００７５】
図１５に示す無線基地局装置２から無線端末装置３Ａ、３Ｂへの下り伝送路の時間軸上の状態は、上述した第８実施形態と同様である。図１４に示すように、無線基地局装置２において、第３情報サーバ１３１の仮想コネクション１３２は同報通信のコネクション番号が割り当てられており、第１情報サーバ４の仮想コネクション１３３、第２情報サーバ５の仮想コネクション１３４は個別通信のコネクション番号が割り当てられているものとする。
【００７６】
無線基地局装置２において、同報通信を示す仮想コネクション１３２のパケットは、無線伝送路において同報通信用の仮想コネクション１３５として伝送し、個別通信を示す仮想コネクション１３３、１３４のパケットはそれぞれ無線伝送路における個別通信用の仮想コネクション１３６、１３７として伝送する。
【００７７】
無線伝送路においては、図１５に示すように、仮想コネクション１３５で伝送されるパケットは全て同報通信用の伝送スロット１４２を用いて無線端末装置３Ａ、３Ｂに伝送される。仮想コネクション１３６で伝送されるパケットは、伝送スロット１４４を用いて、このパケットを受信すべき無線端末装置３Ａに伝送される。無線端末装置３Ａがこの伝送スロット１４４を受信すべきことは、受信開始位置情報指定部１４１において指定される。同様に、仮想コネクション１３７で伝送されるパケットは、伝送スロット１４５を用いて、このパケットを受信すべき無線端末装置３Ｂに伝送される。無線端末装置３Ｂがこの伝送スロット１４５を受信すべきことは、受信開始位置情報指定部１４１において指定される。
【００７８】
以上に示すように、同報通信用のコネクション番号と無線伝送路での同報用スロット位置とをあらかじめ対応づけておくことにより、無線端末装置３Ａ、３Ｂは同報通信を含むものである場合でも受信すべきスロットのみを受信することができ、電力消費量の少なく効率の良い無線伝送制御方式を実現することができる。
【００７９】
〔第１０実施形態〕
次に、本発明の第１０実施形態に係る移動通信システムに関する動作例を図３、図１３及び図１６によって説明する。
【００８０】
図１６は無線基地局装置から無線端末装置への下りチャネルの無線伝送路の状態を時間軸上に示したもので、この下りチャネルの無線伝送路は、物理ヘッダ１４０と、各コネクション毎の伝送パケットの受信を開始する位置に関する情報を示す受信開始位置指定部１５１とを備えている。さらに、下りチャネルの伝送路は、各端末あてのデータ伝送スロット１５２、１５３、１５４、１５５を備えている。つまり、本実施形態においては同報通信専用の伝送スロットは設けられていない。
【００８１】
無線端末装置は物理ヘッダ１４０に続く受信開始位置指定１５１の内容を受信し、その指定に自分の無線端末装置の伝送スロット１５２〜１５５を受信するタイミングが指定されているものとする。つまり、受信開始位置指定部１５１の指定により無線端末装置が受信すべき伝送スロットが特定される。
【００８２】
無線基地局装置において、図１３に示されるようにコネクション番号の異なるパケット１２１Ａ、１２１Ｂが有線伝送路より到着し、無線伝送路に伝送する際には、図３のデータリンク制御部２９は、図１３のパケット１２３Ａ及び１２３Ｂに示すように、別個の誤り検出符号１２４Ａ、１２４Ｂとシーケンス番号１２５Ａ、１２５Ｂとヘッダ１２６Ａ、１２６Ｂを付与する。但し、誤り検出符号及びシーケンス番号は、一方を付けなくてもよいし、両方を付けなくてもよい。図３のデータリンク制御部２９は、パケット１２３Ａ、１２３Ｂのシーケンス番号１２５Ａ、１２５Ｂの番号に基づきパケットの再送等の制御を行ない、正常な無線通信を提供する。
【００８３】
ここで、パケット１２１Ａのヘッダ部１２２Ａにおいて、同報通信を示すヘッダが付与されており、パケット１２１Ｂのヘッダ部１２２Ｂにおいては、個別通信を示すヘッダが付与されている場合には、無線基地局装置２は例えばパケット１２１Ａを伝送スロット１５３で、パケット１２１Ｂを伝送スロット１５４で伝送する。ある無線端末装置宛の受信開始位置情報部１５１においては、伝送スロット１５３と伝送スロット１５４とを指定する。このときに別の無線端末装置が同報通信のパケット１２１Ａと、パケット１２１Ｂとは別の個別通信のパケットをそれぞれ１つづつ受信するとすると、この別の無線端末装置には受信開始位置情報部１５１で、伝送スロット１５３と伝送スロット１５５が指定される。このように、伝送スロット１５３は２つの無線端末装置に重複して指定されることにより、自動的に同報通信が実現される。
【００８４】
各無線端末装置は、伝送スロットで伝送されるパケットが同報通信であるか個別通信であるかを特に意識することなく受信開始位置情報部１５１の位置情報に基づき伝送スロットの受信を行なえばよいので、制御が単純となり制御用の回路構成、制御ソフトウェア等を簡略化することができる。
【００８５】
以上により、同報通信と個別通信を同一の無線端末装置において同時に実現することが可能となる。
【００８６】
〔第１１実施形態〕
次に、本発明の第１１実施形態に係る移動通信システムに関する動作例を、図１４及び図１６によって説明する。
【００８７】
図１６に示す無線基地局装置２から無線端末装置３Ａ、３Ｂへの下り伝送路の時間軸上の状態は、上述した第１０実施形態と同様である。
【００８８】
図１４の無線基地局装置２において、第３情報サーバ１３１の仮想コネクション１３２は同報通信のコネクション番号が割り当てられており、第１情報サーバ４の仮想コネクション１３３、第２情報サーバ５の仮想コネクション１３４は個別通信のコネクション番号が割り当てられているものとする。
【００８９】
無線基地局装置２において、同報通信を示すコネクション１３２のパケットは、無線伝送路において同報通信用のコネクション１３５として伝送し、個別通信を示すコネクション１３３、１３４のパケットはそれぞれ無線伝送路における個別通信用のコネクション１３６、１３７として伝送する。
【００９０】
ここで、無線基地局装置２は例えば仮想コネクション１３５のパケットを伝送スロット１５３で伝送し、仮想コネクション１３６のパケットを伝送スロット１５４で伝送し、仮想コネクション１３７のパケットを伝送スロット１５５で伝送する。この場合、無線端末装置３Ａ宛の受信開始位置情報部１５１においては、伝送スロット１５３と伝送スロット１５４とを指定する。無線端末装置３Ｂ宛の受信開始位置情報部１５１においては、伝送スロット１５３と伝送スロット１５５とを指定する。このように、伝送スロット１５３は無線端末装置３Ａ、３Ｂに重複して指定されることにより、自動的に同報通信が実現される。
【００９１】
各無線端末装置は、伝送スロットで伝送されるパケットが同報通信であるか個別通信であるかを特に意識することなく受信開始位置情報部１５１の情報に基づき受信を行なえばよいので、制御が単純となり制御用の回路構成、制御ソフトウェア等を簡略化することができる。
【００９２】
以上により、同報通信と個別通信を同一の無線端末装置において同時に実現することが可能となる。
【図面の簡単な説明】
【００９３】
【図１】本発明の第１実施形態に係る移動通信システムの構成例を示す図。
【図２】本発明の第１実施形態に係る別の移動通信システムの構成例を示す図。
【図３】図１における無線基地局装置と無線端末装置の内部構成の一例を示す図。
【図４】図２における無線基地局装置と無線端末装置の内部構成の一例を示す図。
【図５】本発明に係るパケットの構成の一例を示す説明図。
【図６】第１実施形態の変形例を示す図。
【図７】無線基地局装置における動作を説明するためにパケットの構成を示した図。
【図８】本発明の第２実施形態に係る無線基地局装置と無線端末装置の内部構成の一例を示す図。
【図９】複数の仮想コネクションの品質要求値が異なる場合に、これら複数の品質要求値を１つに統合するための処理を説明する図。
【図１０】本発明の第３実施形態に係る無線基地局装置における動作を説明するためにパケットの構成を示した図。
【図１１】本発明の第５実施形態に係る移動通信システムの構成例を示す図。
【図１２】本発明の第６実施形態に係る移動通信システムの構成例を示す図。
【図１３】本発明の第６実施形態に係る無線基地局装置における動作を説明するためにパケットの構成を示した図。
【図１４】本発明の第７実施形態に係る移動通信システムの構成例を示す図。
【図１５】本発明の第８実施形態及び第９実施形態におけるパケット伝送の動作の一例を説明するための図。
【図１６】本発明の第１０実施形態及び第１１実施形態におけるパケット伝送の動作の一例を説明するための図。
【図１７】従来の移動通信システムの構成例を示す図。
【図１８】図１７に示す移動通信システムにおけるパケット構成の一例を示す図。
【図１９】図１７に示す移動通信システムに仮想コネクションを設定した状態を示す図。
【符号の説明】
【００９４】
１  移動通信網（第１の移動通信網）
２  無線基地局装置
３、３Ａ、３Ｂ  無線端末装置
４  第１情報サーバ
５  第２情報サーバ
６  仮想コネクション（無線伝送路）
７、８  仮想コネクション（有線伝送路）
１０  移動通信網（第２の移動通信網）
１１  無線基地局装置
１２  複合型網間接続装置
１３  仮想コネクション
１４  無線端末装置
２１、２５  無線インターフェース部
２２  無線パケット解析部
２３Ａ、２３Ｂ  バッファ
２４  無線パケット構成部
２６  無線パケット解析部
２７  有線パケット構成部
２８  データ転送制御部
２９  データリンク制御部
３０  制御信号
３１  ユーザインターフェース部
３２  アプリケーションハードウェア
３３、３３Ａ、３３Ｂ  アンテナ
４１Ａ、４１Ｂ  無線インターフェース部
５０  パケット
５１  仮想パス識別子
５２  仮想チャネル識別子
５３  ペイロード
６１Ａ、６１Ｂ、６１Ｃ  パケット
６２  ヘッダ部
６３  誤り検出符号
６４  シーケンス番号
６５  ヘッダ部
７１  品質管理部
９１Ａ、９１Ｂ、９１Ｃ  パケット（再送制御を必要とする）
９２Ａ、９２Ｂ、９２Ｃ  パケット（再送制御を必要としない）
９３Ａ、９３Ｂ、９４Ａ、９４Ｂ  ヘッダ部
９５  誤り検出ビット
９６  シーケンス番号
９７  仮想コネクション（再送制御を必要とする）
９８  仮想コネクション（再送制御を必要としない）
９７Ａ、９８Ａ  ヘッダ部
１０１  仮想画面
１０２  第１情報サーバより伝送される情報
１０３  第２情報サーバより伝送される情報
１０４  表示装置
１１１、１１２  仮想コネクション
１２１Ａ、１２１Ｂ  パケット
１２２Ａ、１２２Ｂ  ヘッダ部
１２３Ａ、１２３Ｂ  パケット
１２４Ａ、１２４Ｂ  誤り検出符号
１２５Ａ、１２５Ｂ  シーケンス番号
１２６Ａ、１２６Ｂ  ヘッダ部
１３１  第３情報サーバ
１３２、１３３、１３４  仮想コネクション（有線伝送路）
１３５  同報通信用の仮想コネクション（無線伝送路）
１３６、１３７  個別通信用の仮想コネクション（無線伝送路）
１４０  物理ヘッダ
１４１  受信開始位置情報指定部
１４２  同報通信用の伝送スロット
１４３、１４４、１４５  個別通信用の伝送スロット
１５１  受信開始位置情報指定部
１５２、１５２、１５３、１５４  伝送スロット
【図１】
2004187327.tif 000003
【図２】
2004187327.tif 000004
【図３】
2004187327.tif 000005
【図４】
2004187327.tif 000006
【図５】
2004187327.tif 000007
【図６】
2004187327.tif 000008
【図７】
2004187327.tif 000009
【図８】
2004187327.tif 000010
【図９】
2004187327.tif 000011
【図１０】
2004187327.tif 000012
【図１１】
2004187327.tif 000013
【図１２】
2004187327.tif 000014
【図１３】
2004187327.tif 000015
【図１４】
2004187327.tif 000016
【図１５】
2004187327.tif 000017
【図１６】
2004187327.tif 000018
【図１７】
2004187327.tif 000019
【図１８】
2004187327.tif 000020
【図１９】
2004187327.tif 000021